(57)【要約】  本発明は、少なくとも１つの電子モジュール（３）が配置されるケース（２）を含む、携帯物（１）に関する。上記少なくとも１つの電子モジュールは、複数の機能（ｆｃｔ）を実行できるよう、及び上記機能（ｆｃｔ）に関する情報を表示手段（４）に提供できるよう配設される。電子デバイス（１）は更に、ユーザが上記少なくとも１つの電子モジュールに作用できるようにする少なくとも１つの接触領域（Ｐ１）を含む制御手段（５）を備え、各機能は所定の時間閾値（Ｓ）と関連付けられる。【選択図】図１
2016520189.tif 000002
【特許請求の範囲】
【請求項１】
少なくとも１つの電子モジュール（３）が配置されるケース（２）を含む、電子デバイス（１）であって、
前記少なくとも１つの電子モジュールは、複数の機能（ｆｃｔ）を実行できるよう、及び前記機能（ｆｃｔ）に関する情報を表示手段（４）に提供できるよう配設され、
前記電子デバイス（１）は、ユーザが前記少なくとも１つの電子モジュールに作用できるようにする少なくとも１つの接触領域（Ｐ１）を含む制御手段（５）を備え、
各前記機能は所定の時間閾値（Ｓ）と関連付けられる、電子デバイス（１）において、
前記電子デバイス（１）は、前記電子モジュールが、前記少なくとも１つの接触領域における接触を検出するよう、前記接触から開始される時間を測定するよう、及び前記時間を前記所定の時間閾値と比較することによって、到達された前記閾値と関連付けられた前記機能を起動するよう、配設されることを特徴とする、電子デバイス（１）。
【請求項２】
前記制御手段（５）は少なくとも３つの接触領域（Ｐ１、Ｐ２、Ｐ３）を含むことを特徴とする、請求項１に記載の電子デバイス。
【請求項３】
前記電子モジュール（３）は、最大２つの接触領域に対する接触を検出するよう配設されることを特徴とする、請求項２に記載の電子デバイス。
【請求項４】
様々な前記機能は少なくとも２つの機能の組（Ｓｒ）にグループ化され、各前記機能の組（Ｓｒ）は接触領域に結び付けられることを特徴とする、請求項２に記載の電子デバイス。
【請求項５】
前記ケース（２）は、裏蓋、及び下側に前記表示手段（５）が配設されたガラスによって閉鎖され、
前記制御手段（５）は前記ガラス上に配設される
ことを特徴とする、請求項１〜４のいずれか１項に記載の電子デバイス。
【請求項６】
前記電子デバイスは腕時計であることを特徴とする、請求項１〜５のいずれか１項に記載の電子デバイス。
【請求項７】
前記デバイスはまた、所望の前記機能を選択するための第１の時間測定カウンタ、及び前記選択を確認するための第２の時間測定カウンタを含むことを特徴とする、請求項１〜６のいずれか１項に記載のデバイス。
【請求項８】
前記第１のカウンタは、時間を測定し、前記時間を前記所定の時間閾値（Ｓ）と比較し、
前記第２のカウンタは、前記第１のカウンタが前記所定の時間閾値のうちの１つを通過する際の時間を測定し、
前記第２のカウンタの前記時間測定は、第１の所定の値と比較される
ことを特徴とする、請求項７に記載のデバイス。
【請求項９】
少なくとも１つの電子モジュール（３）が配置されるケース（２）を含む電子デバイス（１）のための制御方法であって、
前記少なくとも１つの電子モジュールは、複数の機能（ｆｃｔ）を実行できるよう、及び前記機能（ｆｃｔ）に関する情報を表示手段（４）に提供できるよう配設され、
前記電子デバイスは更に、ユーザが前記少なくとも１つの電子モジュールに作用できるようにする少なくとも１つの接触領域（Ｐ１）を含む制御手段（５）を備え、
各前記機能は所定の時間閾値（Ｓ）と関連付けられる、制御方法において、
前記制御方法は、前記方法が、以下のステップ：
ａ）前記接触領域（Ｐ１）のうちの少なくとも１つに対する接触を検出するステップ；
ｂ）第１のカウンタ（ＣＰＴ１）を用いて、前記接触の検出から開始される時間を測定するステップ；
ｃ）測定された前記時間を、前記電子デバイスの前記機能（ｆｃｔ）に関する前記所定の時間閾値（Ｓ）と比較するステップ；
ｄ）前記測定された時間が前記所定の時間閾値（Ｓ）と同一である場合、前記第１のカウンタ（ＣＰＴ１）を用いた時間測定を停止し、第２のカウンタ（ＣＰＴ２）を用いて時間を測定し、前記所定の時間閾値と関連付けられた前記機能がアクティブであるという指示を前記表示手段（４）上で表示する、ステップ；
ｅ）前記第２のカウンタが第１の所定の値に到達したときに前記接触が依然として検出される場合は、前記第１のカウンタを用いた時間測定を再開しステップｃ）に移り；そうでない場合は、前記少なくとも１つの接触領域に対する接触により選択された前記機能に作用できるように、前記電子モジュール（３）を構成する、ステップ
を含むことを特徴とする、制御方法。
【請求項１０】
前記制御手段（４）は少なくとも２つの接触領域（Ｐ１、Ｐ２）を含むことを特徴とする、請求項９に記載の電子デバイス制御方法。
【請求項１１】
前記制御手段は少なくとも３つの接触領域（Ｐ１、Ｐ２、Ｐ３）を含むことを特徴とする、請求項１０に記載の電子デバイス制御方法。
【請求項１２】
前記ステップａ）は、最大２つの接触領域に対する接触を検出することからなることを特徴とする、請求項１０又は１１に記載の電子デバイス制御方法。
【請求項１３】
様々な前記機能（ｆｃｔ）は少なくとも２つの機能の組（Ｓｒ）にグループ化され、各前記機能の組（Ｓｒ）は前記接触領域に結び付けられることを特徴とする、請求項９又は１０に記載の電子デバイス制御方法。
【発明の詳細な説明】
【技術分野】
【０００１】
本発明は、ガラス及び裏蓋を備えるケースを含む電子デバイスに関し、上記電子デバイスは、複数の機能を実行できるよう、及びこれら機能に関する情報をガラスの下側に配置された表示手段に提供できるよう配設された少なくとも１つの電子モジュールと、上記少なくとも１つの電子デバイスに作用するためにユーザが押圧できる少なくとも２つの接触領域を含む制御手段とを含み、各機能は、所定の時間閾値と関連付けられる。
【背景技術】
【０００２】
情報を表示でき、デバイスの様々な機能を起動できるＬＣＤタッチスクリーンを含む、電子デバイスが公知である。
【０００３】
例えば、タッチキーとして作用する容量電極を下面上に有する所謂タッチガラスを含む腕時計が公知である。このようなキーは、従来のプッシュピースによって起動される。タッチキーのこの起動は、タッチキーを走査することからなる。続いてユーザは容量電極の位置をタッチして、所望の機能を起動する。
【０００４】
本方法の１つの欠点は、ユーザが、機能を選択する前にタッチキーを事前起動しなければならず、従ってこれは追加の操作を必要とすることである。更にこの構成は、機能を起動するためのキーを必要とし、これは結果としてデバイスが有することができる機能の数を制限する。
【０００５】
タッチスクリーンを備える公知の電子デバイスも存在する。タッチスクリーンは、様々なタッチキーを含む。機能を選択するために、ユーザはタッチキーを軽くタッチ又はタップし、続いてタッチキーを離す。圧力の印加と圧力の解放との間の時間は測定され、続いて所定の閾値と比較される。実際、各所定の閾値はある機能に対応しているため、圧力の印加と圧力の解放との間の期間は特定の機能を決定する。
【０００６】
この方法の１つの欠点は、これが不正確であることである。実際、ユーザは、ある機能を選択するために、比較的正確な期間に亘り押圧しなければならない。この期間の制御は複雑であり、従ってユーザは必要とする機能とは異なる機能を頻繁に選択する。
【０００７】
１つの解決策は、明確に定義された期間を有すること、即ち１秒の期間が第１の機能を選択し、２秒の期間が第２の機能を選択し、４秒の期間が第３の機能を選択することを決定することからなる。欠点は、これによって選択に時間がかかり、これがユーザを苛立たせる場合があることである。
【発明の概要】
【発明が解決しようとする課題】
【０００８】
本発明の目的は、タッチキーを制御するための方法が選択を迅速かつ効率的な様式で行うことを可能にする、電子デバイスを提供することを提案することにより、従来技術の欠点を克服することである。
【課題を解決するための手段】
【０００９】
この目的のために、本発明は、少なくとも１つの電子モジュールが配置されるケースを含む、電子デバイスに関する。上記少なくとも１つの電子モジュールは、複数の機能を実行できるよう、及びこれら機能に関する情報を表示手段に提供できるよう配設される。この電子デバイスは、ユーザが上記少なくとも１つの電子モジュールに作用できるようにする少なくとも１つの接触領域を含む制御手段を備え、各機能は所定の時間閾値と関連付けられる。この電子デバイスは、電子モジュールが、上記少なくとも１つの接触領域における接触を検出するよう、上記接触から開始される時間を測定するよう、及び上記時間を所定の時間閾値と比較することによって、得られた閾値と関連付けられた機能を起動するよう、配設されることを特徴とする。
【００１０】
第１の有利な実施形態では、制御手段は３つの接触領域を含む。
【００１１】
第２の有利な実施形態では、電子モジュールは、最大２つの接触領域に対する接触を検出するよう配設される。
【００１２】
第３の有利な実施形態では、様々な機能は少なくとも２つの機能の組にグループ化され、各機能の組は接触領域に結び付けられる。
【００１３】
別の有利な実施形態では、ケースは裏蓋、及び下側に表示手段が配設されたガラスによって閉鎖され、制御手段はガラス上に配設される。
【００１４】
別の有利な実施形態では、上記電子デバイスは腕時計である。
【００１５】
別の有利な実施形態では、電子デバイスはまた、所望の機能の選択のための第１の時間測定カウンタ、及び上記選択を確認するための第２の時間測定カウンタも含む。
【００１６】
別の有利な実施形態では、第１のカウンタは時間を測定して上記時間を所定の時間閾値と比較し、第２のカウンタは、第１のカウンタが所定の時間閾値のうちの１つを通過する際の時間を測定し、第２のカウンタの時間測定は第１の所定の値と比較される。
【００１７】
本発明はまた、少なくとも１つの電子モジュールが配置されるケースを含む電子デバイスのための制御方法にも関する。上記少なくとも１つの電子モジュールは、複数の機能を実行できるよう、及びこれら機能に関する情報を表示手段に提供できるよう配設される。上記電子デバイスは更に、ユーザが上記少なくとも１つの電子モジュールに作用できるようにする少なくとも１つの接触領域を含む制御手段を備え、各機能は所定の時間閾値と関連付けられる。本方法は、本方法が、以下のステップを含むことを特徴とする：
ａ）接触領域のうちの少なくとも１つに対する接触を検出するステップ；
ｂ）第１のカウンタを用いて、上記接触の検出から開始される時間を測定するステップ；
ｃ）測定された時間を、上記電子デバイスの機能と関連付けられた所定の時間閾値と比較するステップ；
ｄ）測定された時間がある所定の時間閾値と同一である場合、第１のカウンタを用いた時間測定を停止し、第２のカウンタを用いて時間を測定し、上記所定の時間閾値と関連付けられた機能がアクティブであるという指示を表示手段上で表示する、ステップ；
ｅ）第２のカウンタが第１の所定の値に到達したときに接触が依然として検出される場合は、第１のカウンタを用いた時間測定を再開しステップｃ）に移り；そうでない場合は、少なくとも１つの接触領域に対する接触により選択された機能に作用できるように、電子モジュールを構成する、ステップ。
【００１８】
第１の有利な実施形態では、制御手段は少なくとも２つの接触領域を含む。
【００１９】
第２の有利な実施形態では、制御手段は３つの接触領域を含む。
【００２０】
別の有利な実施形態では、ステップａ）は最大２つの接触領域に対する接触を検出することからなる。
【００２１】
別の有利な実施形態では、様々な機能は少なくとも２つの機能の組にグループ化され、各機能の組は接触領域に結び付けられる。
【００２２】
本発明による電子装置の目的、利点及び特徴は、単に非限定的な例として挙げられた、添付の図面によって例示される本発明の少なくとも１つの実施形態の以下の詳細な説明において、より明らかになるであろう。
【図面の簡単な説明】
【００２３】
【図１】図１は、本発明による携帯物の概略図である。
【図２】図２は、第１の実施形態による動作図である。
【図３】図３は、第２の実施形態による動作図である。
【図４】図４は、本発明による携帯物の概略図である。
【発明を実施するための形態】
【００２４】
図１、４は、本発明による携帯物１を示す。この携帯物は、腕時計又はコンピュータ又はタッチタブレット又は電話又はスマートフォン等の、電子デバイスである。このデバイスは、ガラス及び裏蓋を含むケース２を含み、上記電子デバイスは、少なくとも１つの電子モジュールを含む。この電子モジュール３は、複数の機能を実行するよう、及び上記複数の機能に関する情報を提供するよう配設される。上記複数の機能に関する情報は、ガラスの下側に配置された表示手段４に送信される。電子モジュール３は、タイムベース３２、及び時間、圧力、温度関連情報を提供するための様々なセンサ３３と協働する、マイクロコントローラ３１を含んでよい。
【００２５】
腕時計内で、電子モジュール３は、通常動作モードにおいて現在時刻を表示するよう配設される。更なる動作モードにおいて電子モジュールは、ユーザが所望の機能を選択することによって、利用可能な機能のうちの１つを実行するよう配設される。
【００２６】
制御手段５は、上記電子デバイスを制御するよう配設される。これら制御手段５は、ガラス上、又はケース内に配設される。これら制御手段はタッチ制御手段６であり、即ちこれらはユーザの指の動作に反応する。これらタッチ制御手段６は容量性であり、即ちガラスの下側又はケースの下に電極が配置され、電極の位置における、ガラス又はケースとのユーザの指の接触は、静電容量の変動を引き起こす。静電容量のこの変動は、電子モジュール３によって検出及び解釈される。
【００２７】
本発明による携帯物において、制御手段５は少なくとも２つの接触領域又はタッチキーを含み、ユーザはこれを、上記少なくとも１つの電子モジュール３に作用するために押圧できる。当然のことながら、ユーザは接触領域を軽くタッチする、タップする、撫でる、又は押圧することができることが理解されるだろう。必要とされるのは、静電容量の変動が生じることである。
【００２８】
有利には、本発明は、タッチ制御手段６の簡単な制御を提供する。
【００２９】
これを達成するために、電子モジュール３が実行できる各機能ｆｃｔは、所定の閾値Ｓと関連付けられる。この所定の閾値Ｓは時間値である。よって第１の機能ｆｃｔ１は第１の閾値Ｓ１と関連付けられ、第２の機能ｆｃｔ２は第２の閾値Ｓ２と関連付けられる、というように続く。例えば第１の閾値は０．５秒であり、第２の閾値は１秒である。
【００３０】
図３に見られる第１の実施形態では、各タッチキーは機能ｆｃｔの組Ｓｒと関連付けられる。例えば、携帯物は第１のタッチキーＰ１及び第２のタッチキーＰ２を備える。各機能ｆｃｔの組Ｓｒは、複数の機能ｆｃｔをグループ化する。このグループ化は、主題によるものであってよく、即ち時間関連機能ｆｃｔはある組にグループ化され、センサ関連機能は別の組にグループ化される。
【００３１】
例えば、第１の機能の組Ｓｒ１は、閾値Ｓ１と関連付けられた第１の機能ｆｃｔ１、閾値Ｓ２と関連付けられた第２の機能ｆｃｔ２、及び閾値Ｓ３と関連付けられた第３の機能ｆｃｔ３を含む。第２の機能の組Ｓｒ２は、閾値Ｓ４と関連付けられた第４の機能ｆｃｔ４、閾値Ｓ５と関連付けられた第５の機能ｆｃｔ５、及び閾値Ｓ６と関連付けられた第６の機能ｆｃｔ６を含む。第１の機能の組Ｓｒ１は第１のタッチキーＰ１と関連付けられ、第２の機能の組Ｓｒ２は第２のタッチキーＰ２と関連付けられる。各機能ｆｃｔは、所定の閾値Ｓと関連付けられる。
【００３２】
第１に、ユーザがある機能を起動したい場合、ユーザは例えばタッチキーＰ１である所望のキーをタップ又はタッチする。接触又は押圧が電子モジュール３によって検出されるとすぐに、マイクロコントローラ３１に接続された第１のカウンタＣＰＴ１が、タイムベース３２を介して時間を計測し始める。
【００３３】
この時間は続いて、タッチキーＰ１と関連付けられた組Ｓｒの機能ｆｃｔの所定の閾値Ｓと比較される。
【００３４】
第２に、閾値Ｓに達すると、マイクロコントローラ３１はこれを検出し、それに応じて作動する。マイクロコントローラ３１は、第１のカウンタＣＰＴ１による計測を停止し、第１の所定の閾値Ｓ１と関連付けられた機能ｆｃｔ１が起動されたという指示をスクリーン上で表示する。
【００３５】
同時に、第２のカウンタＣＰＴ２が計測し始める。この計測を行うことによって、例えば５秒である第１の所定の値の後に押圧が検出されるかどうかをマイクロコントローラ３１が試験する。これにより機能の選択を確認する。
【００３６】
押圧がもはや検出されない場合、マイクロコントローラ３１は、接触又は圧力の解放を、選択された機能ｆｃｔ１が所望の機能であるということの確認として解釈する。このようにして、機能ｆｃｔ１の起動が確認される。第３に、携帯物１は、ユーザがキーＰ１、Ｐ２を使用するだけで選択された機能に作用できる、追加の動作モードに入る。
【００３７】
第４に、押圧が依然として検出される場合、第１のカウンタＣＰＴ１の計測が再び開始される。続いて上述のプロセスが再び開始される。
【００３８】
第１のカウンタＣＰＴ１が第２の所定の閾値Ｓｒ２まで計測したとき、マイクロコントローラ３１は、機能ｆｃｔ２が起動されたという指示をスクリーン上に表示する。機能ｆｃｔ２が起動されたことを表示が示すと、第１のカウンタＣＰＴ１は計測を停止する。
【００３９】
第２のカウンタＣＰＴ２は同時にゼロにリセットされ、再び計測を開始する。
【００４０】
第１の所定の値の後に押圧が依然として検出される場合、第１のカウンタＣＰＴ１は再び計測を開始し、そうでない場合は機能ｆｃｔ２が起動され、ユーザはこの機能に作用できる。
【００４１】
第１の組Ｓｒ１の最後の機能ｆｃｔ−ｎのために、同一のプロセスが実施される。第１の値の後に押下が依然として検出される場合、マイクロコントローラ３１はどの機能も実行する必要がないことを理解する。マイクロコントローラ３１は、現在時刻が表示される通常動作モードに戻る。
【００４２】
図２に示す第２の実施形態では、様々な機能ｆｃｔが単一の組Ｓｒ３にグループ化される。この組Ｓｒ３は様々なタッチキーを介してアクセス可能である。例えば携帯物は、第１のタッチキーＰ１、第２のタッチキーＰ２、第３のタッチキーＰ３を備える。機能選択操作は、第１の実施形態の機能選択動作と同様である。
【００４３】
第１に、ユーザがある機能を起動したい場合、ユーザは、例えばタッチキーＰ１であるキーのうちの１つを押圧する。押圧が電子モジュール３によって検出されるとすぐに、第１のカウンタＣＰＴ１がタイムベースを介して時間を計測し始める。この時間は続いて、タッチキーＰ１と関連付けられた組Ｓｒの機能ｆｃｔの所定の閾値Ｓと比較される。
【００４４】
第２に、閾値Ｓに達すると、マイクロコントローラ３１はこれを検出し、それに応じて作動する。マイクロコントローラ３１は、第１のカウンタＣＰＴ１による計測を停止し、到達した第１の所定の閾値Ｓｒ１と関連付けられた機能ｆｃｔ１が起動されたという指示をスクリーン上で表示する。
【００４５】
マイクロコントローラが関連付けられた機能ｆｃｔ１が起動されたという指示を表示するとき、第２のカウンタＣＰＴ２は同時に計測を開始する。この計測を行うことによって、例えば５秒である第１の所定の値の後に押圧が検出されるかどうかをマイクロコントローラ３１が試験する。
【００４６】
押圧がもはや検出されない場合、マイクロコントローラは、接触又は圧力の解放を、選択された機能ｆｃｔ１が所望の機能であるということの確認として解釈する。続いてユーザはタッチキーＰ１、Ｐ２を使用するだけで、選択された機能に作用できる。
【００４７】
押圧が依然として検出される場合、第１のカウンタＣＰＴ１は計測を再び開始する。第１のカウンタＣＰＴ１が第２の所定の閾値Ｓ２まで計測したとき、マイクロコントローラ３１は、機能ｆｃｔ２が起動されたという指示をスクリーン上に表示する。表示が機能ｆｃｔ２が起動されたことを示すと、第１のカウンタＣＰＴ１は計測を停止する。これ以降も同様に続く。
【００４８】
プロセスは最後の機能まで繰り返され、最後の機能がユーザによって確認されない場合、続いて通常モードが表示される。
【００４９】
よって本方法は以下のステップを含む：
ａ）接触領域Ｐ１、Ｐ２、Ｐ３のうちの少なくとも１つに対する接触を検出するステップ；
ｂ）第１のカウンタＣＰＴ１を用いて、上記接触の検出から開始される時間を測定するステップ；
ｃ）測定された時間を、上記電子デバイスの機能ｆｃｔと関連付けられた所定の時間閾値Ｓと比較するステップ；
ｄ）測定された時間がある所定の時間閾値Ｓと同一である場合、第１のカウンタＣＰＴ１を用いた時間測定を停止し、第２のカウンタＣＰＴ２を用いて時間を測定し、上記所定の時間閾値と関連付けられた機能がアクティブであるという指示を表示手段上で表示する、ステップ；
ｅ）第２のカウンタが第１の所定の値に到達したときに接触が依然として検出される場合は、第１のカウンタを用いた時間測定を再開しステップｃ）に移り；そうでない場合は、少なくとも２つの接触領域のうちの１つに対する接触により選択された機能に作用できるように、電子モジュールを構成する、ステップ。
【００５０】
このような実施形態の利点は、これによりユーザが、どのキーが使用されるかにかかわらず、異なる機能を起動できるようになることである。従ってユーザは、特定の組み合わせを保持する必要がない。
【００５１】
変形例では、ユーザが２つの接触領域又はタッチキーを同時に押圧した際に、組Ｓｒ３の異なる機能ｆｃｔが選択され得る。この変形例により有利なことに、ユーザが１つのキーだけを押圧せず、行き過ぎて２つのキーを押圧した場合でさえ、異なる機能を選択できるようになる。同様に、タッチキーが小さく、ユーザが大きい指を有する場合において、これは機能を選択及び起動するユーザの能力に影響を及ぼさない。
【００５２】
しかしながら、安全装置を設けて、全てのタッチキーが押圧されたことが検出された場合にある機能が選択されることを防止してよい。
【００５３】
添付の請求項によって定義される本発明の範囲を逸脱することなく、上述した本発明の様々な実施形態に対して、当業者には明らかな様々な変更及び／又は改良及び／又は組み合わせを行ってよいことは明らかだろう。
【図１】
2016520189.tif 000003
【図２】
2016520189.tif 000004
【図３】
2016520189.tif 000005
【図４】
2016520189.tif 000006
【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
少なくとも１つの電子モジュール（３）が配置されるケース（２）を含む、電子デバイス（１）であって、
前記少なくとも１つの電子モジュールは、複数の機能（ｆｃｔ）を実行できるよう、及び前記機能（ｆｃｔ）に関する情報を表示手段（４）に提供できるよう配設され、
前記電子デバイス（１）は更に、ユーザが前記少なくとも１つの電子モジュールに作用できるようにする少なくとも１つの接触領域（Ｐ１）を含む制御手段（５）を備え、
各前記機能は所定の時間閾値（Ｓ）と関連付けられる、電子デバイス（１）において、
前記電子デバイス（１）は、
前記電子モジュールが、前記少なくとも１つの接触領域における接触を検出することによって、到達された前記閾値と関連付けられた前記機能を起動するよう配設され、
前記電子モジュールが、所望の前記機能を選択するための第１の時間測定カウンタを含み、
前記第１のカウンタは、前記接触から開始される時間を測定し始め、前記時間を前記所定の時間閾値（Ｓ）と比較し、
前記電子モジュールが、前記選択を確認するための第２の時間測定カウンタを含み、
前記第２のカウンタは、前記第１のカウンタが前記所定の時間閾値のうちの１つを通過する際の時間を測定し始め、
前記第２のカウンタの前記時間測定は、第１の所定の値と比較される
ことを特徴とする、電子デバイス（１）。
【請求項２】
前記制御手段（５）は少なくとも３つの接触領域（Ｐ１、Ｐ２、Ｐ３）を含むことを特徴とする、請求項１に記載の電子デバイス。
【請求項３】
前記電子モジュール（３）は、最大２つの接触領域に対する接触を検出するよう配設されることを特徴とする、請求項２に記載の電子デバイス。
【請求項４】
様々な前記機能は少なくとも２つの機能の組（Ｓｒ）にグループ化され、各前記機能の組（Ｓｒ）は接触領域に結び付けられることを特徴とする、請求項２に記載の電子デバイス。
【請求項５】
前記ケース（２）は、裏蓋、及び下側に前記表示手段（５）が配設されたガラスによって閉鎖され、
前記制御手段（５）は前記ガラス上に配設される
ことを特徴とする、請求項１〜４のいずれか１項に記載の電子デバイス。
【請求項６】
前記電子デバイスは腕時計であることを特徴とする、請求項１〜５のいずれか１項に記載の電子デバイス。
【請求項７】
少なくとも１つの電子モジュール（３）が配置されるケース（２）を含む電子デバイス（１）のための制御方法であって、
前記少なくとも１つの電子モジュールは、複数の機能（ｆｃｔ）を実行できるよう、及び前記機能（ｆｃｔ）に関する情報を表示手段（４）に提供できるよう配設され、
前記電子デバイスは更に、ユーザが前記少なくとも１つの電子モジュールに作用できるようにする少なくとも１つの接触領域（Ｐ１）を含む制御手段（５）を備え、
各前記機能は所定の時間閾値（Ｓ）と関連付けられる、制御方法において、
前記制御方法は、前記方法が、以下のステップ：
ａ）前記接触領域（Ｐ１）のうちの少なくとも１つに対する接触を検出するステップ；
ｂ）第１のカウンタ（ＣＰＴ１）を用いて、前記接触の検出から開始される時間を測定するステップ；
ｃ）測定された前記時間を、前記電子デバイスの前記機能（ｆｃｔ）に関する前記所定の時間閾値（Ｓ）と比較するステップ；
ｄ）前記測定された時間が前記所定の時間閾値（Ｓ）と同一である場合、前記第１のカウンタ（ＣＰＴ１）を用いた時間測定を停止し、第２のカウンタ（ＣＰＴ２）を用いて時間を測定し、前記所定の時間閾値と関連付けられた前記機能がアクティブであるという指示を前記表示手段（４）上で表示する、ステップ；
ｅ）前記第２のカウンタが第１の所定の値に到達したときに前記接触が依然として検出される場合は、前記第１のカウンタを用いた時間測定を再開しステップｃ）に移り；そうでない場合は、前記少なくとも１つの接触領域に対する接触により選択された前記機能に作用できるように、前記電子モジュール（３）を構成する、ステップ
を含むことを特徴とする、制御方法。
【請求項８】
前記制御手段（４）は少なくとも２つの接触領域（Ｐ１、Ｐ２）を含むことを特徴とする、請求項７に記載の電子デバイス制御方法。
【請求項９】
前記制御手段は少なくとも３つの接触領域（Ｐ１、Ｐ２、Ｐ３）を含むことを特徴とする、請求項８に記載の電子デバイス制御方法。
【請求項１０】
前記ステップａ）は、最大２つの接触領域に対する接触を検出することからなることを特徴とする、請求項８又は９に記載の電子デバイス制御方法。
【請求項１１】
様々な前記機能（ｆｃｔ）は少なくとも２つの機能の組（Ｓｒ）にグループ化され、各前記機能の組（Ｓｒ）は前記接触領域に結び付けられることを特徴とする、請求項７又は８に記載の電子デバイス制御方法。
【国際調査報告】
2016520189.tif 000007
2016520189.tif 000008
2016520189.tif 000009
2016520189.tif 000010
2016520189.tif 000011
2016520189.tif 000012